(57)【要約】【課題】被災地域や社会インフラが整っていない地域において、水を必要とする人にすみやかに浄化された水を供給することができる太陽電池式水浄化システムを提供する。【解決手段】可撓性を有し、巻き取り可能な太陽光発電シート２１，２２と、太陽光発電シート２１，２２により発電された電力を蓄える二次電池３と、水を浄化する浄水装置４と、浄化対象の水を吸引し、浄水装置４へ供給することにより、浄化対象の水を浄水装置４によって浄化させるポンプ５と、浄化された水を蓄える浄化水タンク６と、太陽光発電シート２１，２２、二次電池３、浄水装置４、ポンプ５、及び浄化水タンク６を収容するコンテナ１０と、コンテナ１０を搭載する車両１１とを備えた。【選択図】図１
2016203131.tif 000002
【特許請求の範囲】
【請求項１】
太陽電池と、
前記太陽電池により発電された電力を蓄える二次電池と、
雨水を受け止める雨水受止部と、
水を浄化する浄水装置と、
前記雨水受止部により受け止められた雨水を浄化対象の水として前記浄水装置へ供給することにより、前記浄化対象の水を前記浄水装置によって浄化させるポンプと、
前記浄水装置によって浄化された水を蓄える浄化水タンクと、
前記二次電池、前記浄水装置、前記ポンプ、及び前記浄化水タンクを収容するコンテナと、
前記コンテナを搭載する車両とを備える太陽電池式水浄化システム。
【請求項２】
前記雨水受止部により受け止められた雨水を貯水する貯水部をさらに備え、
前記ポンプは、前記貯水部から前記浄化対象の水を吸引し、前記浄水装置へ供給する請求項１記載の太陽電池式水浄化システム。
【請求項３】
前記雨水受止部は、前記コンテナの天板を含む請求項１又は２記載の太陽電池式水浄化システム。
【請求項４】
前記コンテナは、略矩形形状であり、
前記コンテナの各側壁のうち少なくとも一つは、上方に開閉可能な開閉扉であり、
前記開閉扉を、水平よりも上向きに傾斜した姿勢で支持する支持機構をさらに備え、
前記雨水受止部は、前記水平よりも上向きの姿勢で支持された前記開閉扉を含む請求項１〜３のいずれか１項に記載の太陽電池式水浄化システム。
【請求項５】
前記太陽電池は、可撓性を有し、巻き取り可能な太陽光発電シートである請求項１〜４のいずれか１項に記載の太陽電池式水浄化システム。
【請求項６】
前記コンテナの天井と、前記浄化水タンクの上面との間には、前記太陽光発電シートを巻き取った状態で収納可能な収納空間が設けられている請求項５に記載の太陽電池式水浄化システム。
【請求項７】
前記太陽電池は、単結晶シリコン太陽電池又は多結晶シリコン太陽電池からなる太陽電池パネルである請求項１〜４のいずれか１項に記載の太陽電池式水浄化システム。
【請求項８】
前記太陽電池は、可撓性を有し、巻き取り可能な太陽光発電シートと、単結晶シリコン太陽電池又は多結晶シリコン太陽電池からなる太陽電池パネルとを含む請求項１〜４のいずれか１項に記載の太陽電池式水浄化システム。
【請求項９】
前記太陽電池パネルは、前記コンテナの上面に配設されている請求項７又は８記載の太陽電池式水浄化システム。
【請求項１０】
内燃機関を用いて発電し、当該発電により得られた電力を前記二次電池に充電する発電機をさらに備える請求項１〜９のいずれか１項に記載の太陽電池式水浄化システム。
【請求項１１】
前記浄化対象の水を貯水する貯水槽をさらに備える請求項１〜１０のいずれか１項に記載の太陽電池式水浄化システム。
【請求項１２】
前記車両は運転席の後方に荷台を有する貨物自動車であり、
前記コンテナは、前記荷台に搭載され、
前記浄化水タンクは、前記浄水装置及び前記ポンプよりも前記車両の前方側に配設されている請求項１〜１１のいずれか１項に記載の太陽電池式水浄化システム。
【請求項１３】
前記浄水装置は、逆浸透膜を備え、前記ポンプから供給される浄化対象の水を、前記逆浸透膜により濾過することによって浄化する請求項１〜１２のいずれか１項に記載の太陽電池式水浄化システム。
【発明の詳細な説明】
【技術分野】
【０００１】
本発明は、太陽電池により発電された電力を用いて水を浄化する太陽電池式水浄化システムに関する。
【背景技術】
【０００２】
従来、河川や湖沼の水を汲み上げてフィルタで濾過する浄水装置において、水を濾過フィルタに供給するために、ポンプが用いられている。そのため、浄水装置で水を浄化するために、ポンプを駆動するための電源が必要となる。そこで、太陽電池で発電した電力でポンプを駆動することで、水を浄化する水浄化システムが知られている（例えば、特許文献１参照）。
【先行技術文献】
【特許文献】
【０００３】
【特許文献１】特開平１０−３４１４８号公報
【発明の概要】
【発明が解決しようとする課題】
【０００４】
ところで、台風や地震などの自然災害により断水や停電が生じた場合に、断水地域近くの河川や湖沼の水を浄化して、断水地域の被災者に供給したいというニーズがある。また、上水道や電力供給の社会インフラが整っていない国や地域でも、上述のような水浄化システムが望まれている。
【０００５】
しかしながら、断水が生じるような自然災害が発生する場所を予め予測することは困難である。そのため、自然災害が発生してから上述のような水浄化システムを被災地域に設置しようとすると、システムが稼働するまでに時間がかかり、緊急時に水の供給が間に合わないという不都合があった。
【０００６】
また、上水道や電力供給の社会インフラが整っていない地域で、水源となる河川や湖沼に上述のような水浄化システムを設置した場合においても、水源近くで得られた浄化水を水源から遠く離れた地域の住人に供給することは容易でない。
【０００７】
本発明の目的は、被災地域や社会インフラが整っていない地域において、水を必要とする人にすみやかに浄化された水を供給することができる太陽電池式水浄化システムを提供することを目的とする。
【課題を解決するための手段】
【０００８】
本発明に係る太陽電池式水浄化システムは、太陽電池と、前記太陽電池により発電された電力を蓄える二次電池と、雨水を受け止める雨水受止部と、水を浄化する浄水装置と、前記雨水受止部により受け止められた雨水を浄化対象の水として前記浄水装置へ供給することにより、前記浄化対象の水を前記浄水装置によって浄化させるポンプと、前記浄水装置によって浄化された水を蓄える浄化水タンクと、前記二次電池、前記浄水装置、前記ポンプ、及び前記浄化水タンクを収容するコンテナと、前記コンテナを搭載する車両とを備える。
【０００９】
この構成によれば、太陽電池を備えることにより、水の浄化に必要な電力を太陽光発電によって賄うことができるので、被災地域や電力インフラが整っていない地域において、水を浄化することができる。また、車両によって、自由に移動することができるので、自然災害が発生した場合のような緊急時であっても、被災地域へ速やかに移動することができ、かつ被災地域が停電している場合であっても太陽光発電により速やかに浄化水の供給を開始することができる。その結果、被災地域で水を必要とする人にすみやかに浄化された水を供給することができる。また、車両に雨水受止部と浄化水タンクが搭載されているので社会インフラが整っていない地域において、雨水受止部によって雨水を受け止め、ポンプによってその雨水を浄水装置へ供給し、その雨水を浄水装置によって浄化した浄化水を浄化水タンクに貯水し、その浄化水を車両によって人の居住地区に運搬することができる。その結果、社会インフラが整っていない地域において、水を必要とする人にすみやかに浄化された水を供給することができる。
【００１０】
また、前記雨水受止部により受け止められた雨水を貯水する貯水部をさらに備え、前記ポンプは、前記貯水部から前記浄化対象の水を吸引し、前記浄水装置へ供給することが好ましい。
【００１１】
この構成によれば、雨水受止部により受け止められた雨水を、貯水部で一旦貯水することができるので、雨天で太陽光が弱く、従って浄水するための電力が乏しいときに貯水した雨水を、晴天になって浄水するための電力が十分に得られるときに浄水することができる。
【００１２】
また、前記雨水受止部は、前記コンテナの天板を含むことが好ましい。
【００１３】
この構成によれば、車両に搭載されたコンテナの天板を用いて雨水を集めることができるので、車両の外に雨水受付部を設置する必要がない。従って、車両を駐車するスペースがあれば太陽電池式水浄化システムを用いることができ、太陽電池式水浄化システムの省スペース化を図ることが容易となる。
【００１４】
また、前記コンテナは、略矩形形状であり、前記コンテナの各側壁のうち少なくとも一つは、上方に開閉可能な開閉扉であり、前記開閉扉を、水平よりも上向きに傾斜した姿勢で支持する支持機構をさらに備え、前記雨水受止部は、前記水平よりも上向きの姿勢で支持された前記開閉扉を含むことが好ましい。
【００１５】
この構成によれば、開閉扉により、コンテナの側壁部を大きく開閉することができるので、作業性やメンテナンス性が向上する。また、開閉扉を拡げて雨水を集めることができるので、雨水の受け止め量を増大させることができる。
【００１６】
また、前記太陽電池は、可撓性を有し、巻き取り可能な太陽光発電シートであることが好ましい。
【００１７】
この構成によれば、太陽光発電シートは、可撓性を有し、巻き取り可能にされているので、車両が走行する際は、巻き取ってコンパクトにすることで、コンテナ内に容易に収納可能にされている。そして、発電する際は、太陽光発電シートを拡げて太陽光の受光面積を大きくすることができるので、収納及び輸送を容易にしつつ、太陽光の受光面積を増大させて発電量を増大させることができる。
【００１８】
また、前記コンテナの天井と、前記浄化水タンクの上面との間には、前記太陽光発電シートを巻き取った状態で収納可能な収納空間が設けられていることが好ましい。
【００１９】
この構成によれば、コンテナ内の収納スペースを有効活用して、コンテナ内にコンパクトに太陽光発電シート式水浄化システムを収容することが可能となる。
【００２０】
また、前記太陽電池は、単結晶シリコン太陽電池又は多結晶シリコン太陽電池からなる太陽電池パネルであってもよい。
【００２１】
単結晶シリコン太陽電池及び多結晶シリコン太陽電池は、変換効率が高い点で、前記太陽電池として好ましい。
【００２２】
また、前記太陽電池は、可撓性を有し、巻き取り可能な太陽光発電シートと、単結晶シリコン太陽電池又は多結晶シリコン太陽電池からなる太陽電池パネルとを含んでもよい。
【００２３】
太陽光発電シートと、単結晶シリコン太陽電池又は多結晶シリコン太陽電池とを併用するようにすれば、太陽光発電シートの利点と、単結晶シリコン太陽電池又は多結晶シリコン太陽電池の利点とが得られる。
【００２４】
また、前記太陽電池パネルは、前記コンテナの上面に配設されていることが好ましい。
【００２５】
この構成によれば、余分な搭載スペースを要することなく良好な日射量が得られる位置に、太陽光発電装置を搭載することができる。
【００２６】
また、内燃機関を用いて発電し、当該発電により得られた電力を前記二次電池に充電する発電機をさらに備えることが好ましい。
【００２７】
この構成によれば、曇天時や夜間など、太陽光発電シートによる発電量が充分に得られない場合であっても、発電機を用いて水の浄化に必要な電力を発電することができる。
【００２８】
また、前記浄化対象の水を貯水する貯水槽をさらに備えることが好ましい。
【００２９】
この構成によれば、浄化対象の水を、一旦貯水槽に蓄えてから浄水することができるので、泥や小石などを貯水槽に沈殿させてから浄水装置で浄化することができる。従って、浄水装置の負担を軽減することができる。
【００３０】
また、前記車両は運転席の後方に荷台を有する貨物自動車であり、前記コンテナは、前記荷台に搭載され、前記浄化水タンクは、前記浄水装置及び前記ポンプよりも前記車両の前方側に配設されていることが好ましい。
【００３１】
この構成によれば、浄水装置及びポンプよりも、浄化水を貯水した場合に非常に重量が重くなる浄化水タンクが前方に配置されるので、車両の重量バランスが改善される。その結果、車両の走行安定性が向上する。
【００３２】
また、前記浄水装置は、逆浸透膜を備え、前記ポンプから供給される浄化対象の水を、前記逆浸透膜により濾過することによって浄化することが好ましい。
【００３３】
この構成によれば、逆浸透膜によって水が浄化されるので、少ない電力で飲用可能なレベルの浄化水を得ることができる。従って、水の浄化に必要な電力を太陽光発電シートで賄うことが容易である。
【発明の効果】
【００３４】
このような構成の太陽電池式水浄化システムは、被災地域や社会インフラが整っていない地域において、水を必要とする人にすみやかに浄化された水を供給することができる。
【図面の簡単な説明】
【００３５】
【図１】図１は、本発明の一実施形態に係る太陽電池式水浄化システムの構成の一例を示す斜視図である。
【図２】図１に示すコンテナを斜め上方から見下ろした状態を示す斜視図である。
【図３】図２に示す雨水受止部の変形例を示す斜視図である。
【図４】図２に示す雨水受止部の変形例を示す斜視図である。
【図５】図１に示す太陽電池式水浄化システムの構成の一例を概念的に示すブロック図である。
【発明を実施するための形態】
【００３６】
以下、本発明に係る実施形態を図面に基づいて説明する。なお、各図において同一の符号を付した構成は、同一の構成であることを示し、その説明を省略する。図１は、本発明の一実施形態に係る太陽電池式水浄化システムの構成の一例を示す斜視図である。図１に示す太陽電池式水浄化システム１は、車両１１の荷台１１２にコンテナ１０が搭載されて、構成されている。
【００３７】
車両１１は、運転席１１１の後方に荷台１１２を有する貨物自動車である。コンテナ１０には、太陽光発電シート２１，２２、二次電池３、浄水装置４、ポンプ５、浄化水タンク６、発電機７、太陽電池パネル８、付属品収納ボックス９、貯水タンク１３（貯水部）、配管１４，１５、バルブ５２，５３、及び操作スイッチＳＷが収容されている。付属品収納ボックス９には、簡易組み立て式の一次貯水槽９１（貯水槽）と、手押しポンプ９２とが収容されている。また、コンテナ１０には、後述するＡＣインバータ３１がさらに収容されている。
【００３８】
浄化水タンク６は、浄水装置４及びポンプ５よりも車両１１の前方側に配設されている。浄化水タンク６は、例えば５００ｋｇ〜２ｔ程度の水を貯水可能であり、浄化水で満たされた浄化水タンク６は、太陽電池式水浄化システム１の各部の中で最も重い。もし仮に、このように重量の重い浄化水タンク６が荷台１１２の後端近くに配置されると、車両１１の重量が後方に偏り前部が浮き上がってしまうおそれがある。
【００３９】
そこで、浄化水タンク６よりも軽い浄水装置４及びポンプ５を荷台１１２の後方に配置し、浄化水タンク６を浄水装置４及びポンプ５よりも車両１１の前方側に配置することにより、車両１１の重量バランスが改善され、車両１１の走行を安定化させることが可能となる。
【００４０】
太陽光発電シート２１，２２は、可撓性を有するシート状のいわゆる太陽電池シートである。太陽光発電シート２１，２２としては、例えばアモルファスシリコン型の太陽電池や軽量の薄膜型太陽電池を用いることができる。太陽光発電シート２１，２２は、巻き取り可能に構成されている。太陽光発電シート２１，２２を使用するときは、ユーザが、巻き取られた状態の太陽光発電シート２１，２２を拡げて太陽光を当てることによって、太陽光発電シート２１，２２が発電する。
【００４１】
太陽光発電シート２１，２２は、例えばユーザが手作業で巻き取ってもよく、モータやゼンマイ動力により太陽光発電シート２１，２２を巻き取る巻き取り機構を備えてもよい。また、２つの太陽光発電シート２１，２２を備える例を示したが、太陽光発電シートは１つであってもよく、３つ以上であってもよい。
【００４２】
コンテナ１０の天井と、浄化水タンク６の上面との間には、太陽光発電シート２１，２２を巻き取った状態で収納可能な収納空間２０４が設けられている。これにより、収納スペースを有効活用して、コンテナ１０内に、コンパクトに太陽光発電シート式水浄化システム１を収容することが可能となる。
【００４３】
コンテナ１０は、略矩形形状である。コンテナ１０の四方を囲む側壁のうち、車両１１の左方の側壁は開閉扉１０１とされ、車両１１の後方の側壁は開閉扉１０２とされ、車両１１の右方の側壁は開閉扉１０３とされている。開閉扉１０１，１０２，１０３は、それぞれコンテナ１０の天板（屋根）との連結部を中心に回動することで、上方に開閉可能にされている。また、上方に開かれた開閉扉１０１，１０２，１０３を、それぞれ、水平よりも上向きの姿勢で支持する支持アーム１６，１７，１８（支持機構）が設けられている。図１は、開閉扉１０１，１０２，１０３が開かれた状態で支持アーム１６，１７，１８によって、開閉扉１０１，１０２，１０３が水平よりも上向きの姿勢で支持されている状態を示している。以下、図１に示す開閉扉の状態を、扉開放姿勢と称する。
【００４４】
開閉扉１０１，１０２，１０３により、コンテナ１０の側壁部を大きく開閉することができるので、作業性やメンテナンス性が向上する。
【００４５】
図２は、開閉扉１０１，１０２，１０３が扉開放姿勢とされた状態で、コンテナ１０を斜め上方から見下ろした状態を示す斜視図である。図２に示すように、コンテナ１０の天板１００と、開閉扉１０１，１０２，１０３の連結部に沿って、樋２０１，２０２，２０３が延設され、樋２０１と樋２０２、樋２０２と樋２０３がそれぞれ連結されている。開閉扉１０１，１０２，１０３が扉開放姿勢とされた状態で、天板１００、天板１００上に設置された太陽光発電装置８、及び開閉扉１０１，１０２，１０３は、雨水を受け止める雨水受止部１２として機能する。
【００４６】
樋２０１と樋２０２の連結部分には排水口２１２が形成され、樋２０２と樋２０３の連結部分には排水口２２３が形成されている。排水口２１２は、配管１４によって貯水タンク１３と接続されている。排水口２２３は、配管１５によって貯水タンク１３と接続されている。
【００４７】
開閉扉１０１，１０２，１０３は、水平よりも上向きの姿勢で支持されているので、開閉扉１０１，１０２，１０３で受け止められた雨水は、開閉扉１０１，１０２，１０３の傾斜に沿って樋２０１，２０２，２０３へ流れ落ち、集められた雨水が、樋２０１，２０２，２０３の排水口２１２，２２３から配管１４，１５によって貯水タンク１３へ運ばれ、貯水タンク１３で貯水される。同様に、天板１００及び太陽光発電装置８で受け止められた雨水も、樋２０１，２０２，２０３へ流れ込んで排水口２１２，２２３から配管１４，１５によって貯水タンク１３へ運ばれ、貯水タンク１３で貯水される。
【００４８】
このように、雨水受止部１２、樋２０１，２０２，２０３、排水口２１２，２２３、配管１４，１５、及び貯水タンク１３によって、雨水を集めて貯水タンク１３に貯水することができる。
【００４９】
図３、図４は、図２に示す雨水受止部１２の変形例を示す斜視図である。図３に示す雨水受止部１２ａは、太陽光発電装置８の代わりに太陽光発電シート２３が、上方に凸となるように山なりに変形されて天板１００上に設置されている点が異なる。太陽光発電シート２３は、山なりの低くなった両辺（山裾部分）が、樋２０１，２０３の延在方向と沿うように設置されている。
【００５０】
太陽光発電シート２３は、太陽光発電シート２１，２２と同様に構成されている。太陽光発電シート２３は、例えば天板１００上に、上方に円弧状に凸となるように設けられた図略の基台上に貼付されて設置されている。その他の点では、雨水受止部１２ａは、雨水受止部１２と同様に構成されている。
【００５１】
雨水受止部１２ａによれば、太陽光発電シート２３によって受け止められた雨水は、太陽光発電シート２３の山なりの傾斜に沿って樋２０１，２０３へ流れ込む。従って、太陽光発電シート２３によって受け止められた雨水が、太陽光発電シート２３上に溜まることなくスムーズに樋２０１，２０３へ流れ込み、貯水タンク１３に貯水される。
【００５２】
図４に示す雨水受止部１２ｂは、雨水受止部１２とは、開閉扉１０１，１０２，１０３のコンテナ１０上部への連結位置から凹陥し、上方が開口した箱状の雨水容器２００（貯水部）を備えている点で雨水受止部１２とは異なる。そして、雨水容器２００の底部に太陽光発電装置８が配設されている。
【００５３】
雨水受止部１２ｂによれば、雨水受止部１２ｂによって、雨水を集めるのみならず、雨水容器２００で雨水を貯水することができる。従って、貯水タンク１３を備えない構成とすることができる。
【００５４】
図５は、図１に示す太陽電池式水浄化システム１の構成の一例を概念的に示すブロック図である。図５においては、車両１１及びコンテナ１０の記載を省略している。
【００５５】
開閉扉１０１，１０２，１０３の先端部には、太陽光発電シート２１，２２と係合する係合フックが取り付けられている。開閉扉１０１，１０２，１０３を開いた状態で、開閉扉１０１，１０２，１０３の係合フックに太陽光発電シート２１，２２の端部に取り付けられた係合部を係合することによって、図１に示すように、太陽光発電シート２１，２２を上方からつり下げるようにして太陽光に晒すことができる。
【００５６】
太陽光発電シート２１，２２は、可撓性を有し、巻き取り可能にされているので、車両１１が走行する際は、巻き取ってコンパクトにすることで、コンテナ１０内に容易に収納可能にされている。そして、発電する際は、太陽光発電シート２１，２２を拡げて太陽光の受光面積を大きくすることができるので、収納及び輸送を容易にしつつ、太陽光の受光面積を増大させて発電量を増大させることができる。
【００５７】
コンテナ１０の天板上面には、太陽電池パネル８が取り付けられている。太陽電池パネル８は、単結晶シリコン太陽電池又は多結晶シリコン太陽電池からなる板状の太陽電池パネルである。
【００５８】
なお、必ずしも太陽電池パネル８を備える例に限らない。しかしながら、コンテナ１０の天板上面は、通常、良好な日射量が得られる場所であり、かつ、余分な搭載スペースを必要としない点で、コンテナ１０の天板上面に太陽電池パネル８を設けることが好ましい。また、太陽光発電シート２１，２２を備えず、太陽電池として太陽電池パネル８のみを備える構成であってもよい。
【００５９】
発電機７は、例えばガソリンを燃料とする内燃機関を用いて発電を行う発電機である。例えば曇天のときや夜間など、太陽光発電シート２１，２２の発電量が不足する場合に発電機７を稼働させることによって、天候や時間帯に限られず、発電を行うことができる。なお、必ずしも発電機７を備える必要はない。
【００６０】
二次電池３は、例えば酸化鉄リチウムイオン二次電池である。二次電池３は、例えば浄化水タンク６の下方に配設されている。なお、二次電池３は、酸化鉄型に限られず、あるいはニッケル水素二次電池や鉛蓄電池等の二次電池であってもよい。二次電池３は、太陽光発電シート２１，２２及び発電機７により発電された電力を蓄える。二次電池３は、蓄えた電力をＡＣインバータ３１へ供給する。
【００６１】
ＡＣインバータ３１は、二次電池３から出力された直流電力を交流電力に変換してポンプ５へ供給する。ＡＣインバータ３１は、例えば操作スイッチＳＷがオンされたとき、ポンプ５への電力供給を開始する。なお、ポンプ５として直流電力駆動型のポンプを用いることで、ＡＣインバータ３１を備えない構成としてもよい。
【００６２】
一次貯水槽９１は、小さく折りたたみ可能にされており、折りたたんだ状態で付属品収納ボックス９に収納されている。浄水を実行する際、ユーザは、付属品収納ボックス９から折りたたまれた一次貯水槽９１を取り出し、その一次貯水槽９１を組み立てることにより、浄化対象の水を貯水可能となる。
【００６３】
手押しポンプ９２は、手動操作により水を吸い上げる手押しポンプである。浄水を実行する際、ユーザは、手押しポンプ９２を操作することによって、水源となる河川や湖沼から、一次貯水槽９１へ浄化対象の水を汲み上げることができる。
【００６４】
なお、必ずしも一次貯水槽９１及び手押しポンプ９２を備える必要はない。しかしながら、一次貯水槽９１及び手押しポンプ９２を備え、水源の水を、一旦、一次貯水槽９１に溜め、小石や泥を沈殿させることにより、濾過フィルタ４１や逆浸透膜４２の目詰まりが生じるおそれを低減できる。
【００６５】
ポンプ５は、二次電池３に蓄電された電力に基づき動作する。ポンプ５は、例えば交流電力で動作する加圧ポンプである。ポンプ５の入口（給水）側には、バルブ５２，５３が接続されている。ポンプ５は、バルブ５２を介してホース５１が接続されている。また、ポンプ５は、バルブ５３を介して貯水タンク１３に接続されている。これにより、ユーザは、例えば河川等の水源の水を浄化したいときはバルブ５２を開け、バルブ５３を閉じることにより、ホース５１で吸い上げた水を浄化することができる。一方、ユーザは、貯水タンク１３に貯水された雨水を浄化したいときは、バルブ５２を閉じ、バルブ５３を開けることにより、貯水タンク１３に貯水された雨水を浄化できるようになっている。
【００６６】
具体的には、ユーザが例えば河川等の水源の水を浄化したいときは、バルブ５２を開け、バルブ５３を閉じ、一次貯水槽９１に浄化対象の水を溜め、ホース５１を一次貯水槽９１に差し入れた後、操作スイッチＳＷをオン操作することによって、二次電池３に蓄えられた電力がＡＣインバータ３１で交流に変換され、ポンプ５に供給される。電力供給を受けたポンプ５は、一次貯水槽９１から処理対象の水を吸い上げて、浄水装置４へ圧力をかけて送水する。
【００６７】
同様に、ユーザが貯水タンク１３に貯水された雨水を浄化したいときは、バルブ５２を閉じ、バルブ５３を開け、操作スイッチＳＷをオン操作することによって、二次電池３に蓄えられた電力がＡＣインバータ３１で交流に変換され、ポンプ５に供給される。電力供給を受けたポンプ５は、貯水タンク１３から処理対象の雨水を吸い上げて、浄水装置４へ圧力をかけて送水する。
【００６８】
浄水装置４は、濾過フィルタ４１と、逆浸透膜４２とを備えている。濾過フィルタ４１は、例えばカーボン繊維やメッシュ、活性炭等により構成されたフィルタである。濾過フィルタ４１は、ポンプ５から送られてきた水を濾過し、比較的大きな汚染物質を除去する。
【００６９】
逆浸透膜４２は、直径０．５ｎｍ以下といった極めて微細な孔を有する膜である。逆浸透膜４２の一方面側に、濾過フィルタ４１で濾過された水がポンプ５による圧力と共に供給されると、ほとんど水分子のみが逆浸透膜４２を通り抜け、人が飲用可能なレベルに濾過された浄化水が浄化水タンク６に供給される。このようにして浄化水が浄化水タンク６に蓄えられる。一方、逆浸透膜４２を通り抜けることができなかった汚染物質や細菌を含み、不純物が濃縮された濃縮水は、排水される。逆浸透膜４２は、洗浄可能にされており、洗浄により、繰り返し利用可能とされている。
【００７０】
太陽電池式水浄化システム１は、逆浸透膜４２を用いて水を浄化するので、水を煮沸したり、消毒剤を用いたりすることなく、人が飲用可能なレベルの清浄な水を得ることができる。従って、水を沸騰させる必要がないので、少ないエネルギーで水を浄化できる。その結果、太陽光発電シート２１，２２や太陽電池パネル８による発電電力で水を浄化することが容易となる。また、消毒剤を必要としないので、低コストで水を浄化することができる。
【００７１】
浄化水タンク６は、例えば５００ｋｇ〜２ｔ程度の水を貯水可能な水槽である。浄化水タンク６には、水栓６１が取り付けられている。ユーザが水栓６１を操作することにより、浄化水タンク６に貯水された浄化水が水栓６１から流れ出る。
【００７２】
上述のように構成された太陽電池式水浄化システム１は、太陽光発電シート２１，２２、及び太陽電池パネル８を備えることにより、水の浄化に必要な電力を太陽光発電によって賄うことができるので、被災地域や電力インフラが整っていない地域において、水を浄化することができる。また、逆浸透膜４２を用いて水を浄化するので、飲用にできるレベルの浄化水を、太陽光発電で賄える程度の少ない消費電力で得ることができる。
【００７３】
また、太陽電池式水浄化システム１は、車両１１によって、自由に移動することができる。従って、自然災害が発生した場合のような緊急時であっても、被災地域へ速やかに移動することができ、かつ被災地域が停電している場合であっても太陽光発電により速やかに浄化水の供給を開始することができる。その結果、被災地域で水を必要とする人にすみやかに浄化された水を供給することができる。
【００７４】
また、太陽電池式水浄化システム１は、車両１１に浄化水タンク６が搭載されている。従って、社会インフラが整っていない地域において、水源地が人の居住地区から遠く離れている場合であっても、太陽電池式水浄化システム１は、水源地で浄化した浄化水を浄化水タンク６に貯水し、その浄化水を車両１１によって人の居住地区に運搬することができる。その結果、社会インフラが整っていない地域において、水を必要とする人にすみやかに浄化された水を供給することができる。
【００７５】
また、水の浄化に必要な機材がコンテナ１０内に収納されているので、緊急時に備えていつでも速やかに水の浄化、供給を開始できる状態で、太陽電池式水浄化システム１を待機させておくことができると共に、車両１１の走行時に機材が落下するなどの不都合が防止される。
【符号の説明】
【００７６】
１    太陽電池式水浄化システム
３    二次電池
４    浄水装置
５    ポンプ
６    浄化水タンク
７    発電機
８    太陽光発電装置
９    付属品収納ボックス
１０  コンテナ
１１  車両
１２  雨水受止部
１３  貯水タンク（貯水部）
１４，１５  配管
１６，１７，１８  支持アーム（支持機構）
２１，２２，２３  太陽光発電シート
３１  インバータ
４１  濾過フィルタ
４２  逆浸透膜
５１  ホース
５２，５３  バルブ
６１  水栓
９１  一次貯水槽
９２  手押しポンプ
１０１，１０２，１０３  開閉扉
１１１      運転席
１１２      荷台
２００      雨水容器（貯水部）
２０１，２０２，２０３  樋
２０４      収納空間
ＳＷ  操作スイッチ
【図１】
2016203131.tif 000003
【図２】
2016203131.tif 000004
【図３】
2016203131.tif 000005
【図４】
2016203131.tif 000006
【図５】
2016203131.tif 000007